(57)【要約】      （修正有）【課題】被覆することで、栽培作物への害虫の付着を防止することができるとともに、生育適温を超える過度な昇温を防止できる農業用ネットを提供する。【解決手段】農業用ネット１は、モノフィラメント５が経糸５１、及び緯糸５０として織られ、０．５ｍｍ程度の目合の略正方形状の網目を有する網状に構成された織地６に、反射性、及び遮熱性を有する帯状の反射テープ１１が、経糸、及び緯糸に沿って格子状に織り込まれ、テープ配置場所７におけるモノフィラメントが、反射テープの幅以上の間隔を隔てて配置され、反射テープの幅が、目合の２倍以上７倍以下の幅で形成されている。【選択図】図１
2020089305.tif 000002
【特許請求の範囲】
【請求項１】
糸状体が経糸、及び緯糸として織られ、害虫の通過を抑制することができる所定の目合の網目を有する網状に構成された農業用ネットであって、
反射性、及び遮熱性を有する帯状の帯状体が、前記経糸、及び前記緯糸に沿って格子状に織り込まれ、
前記帯状体が配置される部分における前記糸状体が、前記帯状体の幅以上の間隔を隔てて配置され、
前記帯状体の幅が、前記目合の２倍以上７倍以下の幅で形成された
農業用ネット。
【請求項２】
格子状に配置された前記帯状体において、
前記経糸、または前記緯糸のうち一方に沿って配置される前記帯状体のうち一方の前記帯状体の幅が、他方に沿って配置される他方の前記帯状体の幅よりも狭く形成され、
一方の前記帯状体が、他方の前記帯状体よりも狭い間隔を隔てて配置された
請求項１に記載の農業用ネット。
【請求項３】
一方の前記帯状体の幅に対する他方の前記帯状体の幅の比率が、
一方の前記帯状体と他方の前記帯状体とによって形成される略長方形状の領域における、短辺に対する長辺の比率に応じて構成された
請求項２に記載の農業用ネット。
【請求項４】
前記糸状体が、透光性を有する透光性糸状体によって構成された
請求項１乃至請求項３のうちいずれか一項に記載の農業用ネット。
【請求項５】
前記帯状体が、白色の白色帯状体によって構成された
請求項１乃至請求項４のうちいずれか一項に記載の農業用ネット。
【請求項６】
前記緯糸の両端部が折り返されるとともに織り込まれた
請求項１乃至請求項５のうちいずれか一項に記載の農業用ネット。
【発明の詳細な説明】
【技術分野】
【０００１】
この発明は、防虫効果を有する農業用ネットに関する。
【背景技術】
【０００２】
従来から、被覆材を栽培作物に被覆することで、栽培作物を保護しながら生育するベタ掛け栽培やトンネル栽培等の栽培方法が盛んに行なわれている。  
ベタ掛け栽培やトンネル栽培等の栽培方法では、網目を構成する目合が小さいネットや空隙の小さい不織布等によって構成された被覆材の目合の大きさを、害虫の大きさよりも小さく設定することで、害虫が外側から被覆材を通過して被覆材で覆われた内部空間（以下において「内部空間」という）へ侵入することを抑制し、被覆材を被覆した栽培作物への害虫の付着を防止することができる。
【０００３】
しかし、目合が小さい被覆材は通気性が低く、栽培作物に被覆した被覆材の内外を出入りする空気の流れが抑制され、熱気が内側に滞留することによって被覆材で覆われた内部空間の温度が栽培作物の生育適温を超えるおそれがある。  
このため、栽培作物に害虫が付着することを防止するだけではなく、特に日中におい内部空間の温度が生育適温を超える過度な昇温を防止する必要がある。
【０００４】
そこで、栽培作物に被覆することで害虫の侵入を防止することができるとともに、内部空間の温度が生育適温を超える過度な昇温を防止することができる農業用ネットが提案されている。
【０００５】
例えば、本出願人によって公開された特許文献１には、合成樹脂製の経糸、及び緯糸を害虫の侵入が妨げられるような目合の大きさとなる網目で織った織物によって構成され、栽培作物に被覆することで害虫から保護することができるとともに、織物の網目を略長方形状に形成することで通気性が向上し、内部空間の温度が生育適温を超えるような過度な昇温を防止することができる農業用ネットを提案している。
【０００６】
このような網目が略長方形状の農業用ネットを栽培作物に被覆することで、害虫の侵入を防止することができるとともに、農業用ネットの通気性が向上することで内部空間の温度が生育適温を超える過度な昇温を防止することができる。
【０００７】
詳述すると、経糸の織り込み方向と略平行する方向に細長い略長方形の網目が形成されているため、略正方形の網目を形成する場合と比較して網目が大きくなり、通気性が向上するために熱気の滞留を抑制することができ、内部空間の温度が生育適温を超える過度な昇温を防止することができる。
【０００８】
また、特許文献１に記載の農業用ネットは、ポリエチレンやポリプロピレン等といった合成樹脂を経糸、及び緯糸として所定の目合で平織したネット状の織物に、ヤーン状に形成された反射率の高いアルミニウム製の反射糸が格子状に織り込まれている。  
【０００９】
詳述すると、農業用ネットの目合を、害虫の通過を抑制することができる大きさに設定することで、農業用ネット外部からの害虫の侵入を防止することができるとともに、格子状に織り込まれたアルミニウム製の反射糸が、農業用ネットに向けて照射される太陽光を反射することで害虫に対する忌避効果を有し、防虫効果が向上することで、より確実に害虫の侵入を防止することができる。
【００１０】
しかしながら、特許文献１に記載の農業用ネットは、害虫の通過を抑制することができる目合で織られる必要があることから、通気性を向上させるために大きくすることができる目合の大きさには、害虫の通過を抑制することができる大きさという限度がある。  
つまり、通気性を向上させるために大きくすることができる農業用ネットの網目の目合は、害虫の侵入を防止することができる大きさという限度があり、近年の温暖化等の影響による異常な酷暑において、内部空間の温度が生育適温を超える過度な昇温を十分に抑制できなくなってきている。
【００１１】
つまり、特許文献１に記載の農業用ネットは、害虫の通過を抑制することができ、さらに通気性が向上する略長方形状の網目を有する織物であるため、栽培作物への防虫の付着を防止することができるとともに、過度な昇温を防止できていたが、今後、温暖化等の影響による異常な酷暑において内部空間の温度が生育適温を超えることを抑制する十分な昇温防止効果が得られなくなるおそれがある。
【先行技術文献】
【特許文献】
【００１２】
【特許文献１】特開２００５―２０４５１２公報
【発明の概要】
【発明が解決しようとする課題】
【００１３】
この発明は、上述した問題を鑑み、被覆することで、栽培作物への害虫の付着を防止することができるとともに、内部空間の温度が生育適温を超える過度な昇温を防止できる農業用ネットを提供することを目的とする。
【課題を解決するための手段】
【００１４】
この発明は、糸状体が経糸、及び緯糸として織られ、害虫の通過を抑制することができる所定の目合の網目を有する網状に構成された農業用ネットであって、反射性、及び遮熱性を有する帯状の帯状体が、前記経糸、及び前記緯糸に沿って格子状に織り込まれ、前記帯状体が配置される部分における前記糸状体が、前記帯状体の幅以上の間隔を隔てて配置され、前記帯状体の幅が、前記目合の２倍以上７倍以下の幅で形成されたことを特徴とする。
【００１５】
前記糸状体は、モノフィラメントや紡績糸等で構成されていてもよく、これらによって構成されたフィラメント糸や複合糸等でもよい。  
前述の所定の目合とは、害虫の通過を防止できるとともに、栽培作物に適した通気性を有する大きさの目合をいい、例えば、侵入を防止したい害虫の大きさや、栽培作物に適した通気性によって０．４ｍｍから２．０ｍｍ程度の大きさの目合で前記農業用ネットの網目が形成されていればよい。
【００１６】
前記農業用ネットは、前記糸状体を網状に織った織物で構成してもよいし、所定の目合で配置した前記糸状体を溶着することで網状に形成してもよく、織った織物の前記糸状体同士を溶着することで、網目が目ズレしないようにしてもよい。  
前記帯状体は、所定の幅の帯状であれば合成樹脂、不織布、織物、または編物などで構成されていてもよい。
【００１７】
この発明により、前記農業用ネットを栽培作物に被覆することで、栽培作物への害虫の付着を防止できるとともに、前記農業用ネットで被覆する内部空間が生育適温を超える過度な昇温を防止することができる。  
詳述すると、栽培作物に被覆する前記農業用ネットが有する前記網目の目合が、前述の所定の目合で構成されているため、前記農業用ネットを害虫が通過することを抑制でき、被覆した栽培作物への害虫の付着を防止することができる。
【００１８】
また、前記目合の２倍以上の幅の帯状に形成された反射性を有する前記帯状体が格子状に配置されることで、前記農業用ネットに照射される太陽光が帯状に形成された前記帯状体の表面によって効率的に反射され、前記農業用ネットが、飛来する害虫に対する忌避効果を有することができ、栽培作物への害虫の飛来、及び付着を防止することができる。  
さらに、前記帯状体が有する遮熱性によって、太陽光による熱を遮熱することができ、被覆される栽培作物の生育適温を内部空間の温度が超えるような過度な昇温を防止することができる。
【００１９】
また、前記農業用ネットは、前記経糸、及び前記緯糸に沿って格子状に織り込まれた反射性、及び遮熱性を有する前記帯状体が配置される場所における前記糸状体が、前記帯状体の幅以上の間隔を隔てて配置されている。
【００２０】
つまり、前記帯状体の幅よりも広い間隔を隔てて前記糸状体が配置されている部分に前記帯状体が配置されることで、前記糸状体によって構成される前記経糸同士、または前記緯糸同士の間に前記帯状体を配置して織り込むことができる。
【００２１】
このため、前記糸状体で構成される前記緯糸、または前記経糸によって、前記帯状体を保持することができ、前記帯状体を保持するための他の構成を必要とせず、生産性を向上することができるとともに、生産にかかるコストを低下することができる。
【００２２】
しかしながら、前記糸状体が広い間隔を隔てて配置されるため、前記糸状体によって形成される網目における当該部分の目合は大きくなり、前記農業用ネットの網目における当該部分の目合が前述の所定の目合よりも大きくなることで、大きくなった目合を害虫が通過して栽培作物に害虫が付着するおそれがある。
【００２３】
これに対して、前記糸状体が広い間隔を隔てて配置される部分に、目合よりも幅広に形成された帯状の前記帯状体が配置されるため、前記農業用ネットの当該部分における前記帯状体と前記糸状体によって囲われる領域の大きさが、前述の所定の目合よりも大きくなることを防止することができ、前記糸状体が広い間隔を隔てて配置されることで網目の目合が前述の所定の目合よりも大きくなり、栽培作物に害虫が付着するおそれを抑制することができる。
【００２４】
また、前記帯状体の幅以上の間隔を隔てて配置される前記糸状体同士の間隔は、前記農業用ネットが害虫の通過を抑制することができる必要があるため、前述の前記糸状体と前記帯状体とによって囲われる領域の大きさが、前述の所定の目合の大きさを超えないように設定される。
【００２５】
このため、前記帯状体の幅が前記目合の７倍以下に形成されることで、前記帯状体の幅以上の間隔を隔てて配置される前記糸状体同士の間隔が広くなりすぎることによる前記農業用ネットの耐久性の低下を防止することができる。  
したがって、前記農業用ネットを被覆することで、栽培作物への害虫の付着を防止することができるとともに、内部空間が生育適温を超える過度な昇温を防止することができる。
【００２６】
この発明の態様として、格子状に配置された前記帯状体において、前記経糸、または前記緯糸のうち一方に沿って配置される前記帯状体のうち一方の前記帯状体の幅が、他方に沿って配置される他方の前記帯状体の幅よりも狭く形成され、一方の前記帯状体が、他方の前記帯状体よりも狭い間隔を隔てて配置されてもよい。  
この発明により、前記農業用ネットに設けられた前記帯状体による害虫に対する忌避効果を向上することができ、害虫の栽培作物への飛来、及び付着をより確実に防止することができる。
【００２７】
詳述すると、格子状に配置された前記帯状体において、一方の前記帯状体の幅が他方の前記帯状体の幅よりも狭く形成されることで、異なる幅で形成された前記帯状体が前記農業用ネットに織り込まれることになる。
【００２８】
これにより、前記農業用ネットに向けて照射される太陽光が、異なる幅に形成された前記帯状体によって異なる反射態様で反射されるため、同一の幅で形成された前記帯状体によって太陽光が反射される場合よりも、害虫をさらに忌避することができる。
【００２９】
また、一方の前記帯状体の幅を他方の前記帯状体の幅よりも狭く形成したことで前記農業用ネットの遮熱性が低下するおそれがあるが、一方の前記帯状体が、他方の前記帯状体よりも狭い間隔を隔てて配置されることで、一方の前記帯状体の本数を増やすことができ、前記農業用ネットの遮熱性の低下を防止することができる。  
このため、前記農業用ネットの遮熱性が低下することなく、前記帯状体による害虫に対する忌避効果を向上することができ、害虫の栽培作物への飛来、及び付着をより確実に防止することができる。
【００３０】
またこの発明の態様として、一方の前記帯状体の幅に対する他方の前記帯状体の幅の比率が、一方の前記帯状体と他方の前記帯状体とによって形成される略長方形状の領域における、短辺に対する長辺の比率に応じて構成されてもよい。
【００３１】
この発明により、一方の前記帯状体の幅が他方の前記帯状体の幅よりも狭く形成されるとともに、一方の前記帯状体が配置される間隔が他方の前記帯状体が配置される間隔よりも狭い間隔で配置された前記農業用ネットが、略同一の幅で形成された前記帯状体を前記経糸、及び前記緯糸に沿う方向に略同一の間隔を隔てて配置された場合と同等の遮熱性を有し、かつ害虫の栽培作物への飛来、及び付着をより確実に防止することができるとともに、前記農業用ネットの有する遮熱性と忌避効果とのムラを少なくすることができる。
【００３２】
詳述すると、前記農業用ネットは前記糸状体で構成された織物に前記帯状体が織り込まれることで、栽培作物に適した遮熱性を有するように構成される。  
つまり、略同一の幅で形成された前記帯状体を前記経糸、及び前記緯糸に沿う方向に略同一の間隔を隔てて配置された場合の遮熱性は、栽培作物に適した遮熱性を有している。
【００３３】
また、前記農業用ネットが、一方の前記帯状体の幅が他方の前記帯状体の幅よりも狭く形成されるとともに、一方の前記帯状体が配置される間隔が他方よりも狭い間隔で配置され、かつ一方の前記帯状体の幅に対する他方の前記帯状体の幅の比率が、一方の前記帯状体と他方の前記帯状体とによって形成される略長方形状の領域における、短辺に対する長辺の比率に応じて構成されることで、略同一の幅で形成された前記帯状体を前記経糸、及び前記緯糸に沿う方向に略同一の間隔を隔てて配置された前記農業用ネットと同等の遮熱性を有するように構成することができる。
【００３４】
つまり、一方の前記帯状体の幅が他方の前記帯状体の幅よりも狭く形成されるとともに、一方の前記帯状体が配置される間隔が他方よりも狭い間隔で配置された前記農業用ネットが栽培作物に適した遮熱性を有することができる。
【００３５】
また、一方の前記帯状体の幅に対する他方の前記帯状体の幅の比率が、一方の前記帯状体と他方の前記帯状体とによって形成される略長方形状の領域における、短辺に対する長辺の比率に応じて構成された前記農業用ネットは、一方の前記帯状体の幅が他方の前記帯状体の幅よりも狭く形成されるとともに、一方の前記帯状体が配置される間隔が他方よりも狭い間隔で配置されているため、害虫の栽培作物への飛来、及び付着をより確実に防止することができる。
【００３６】
したがって、一方の前記帯状体の幅が他方の前記帯状体の幅よりも狭く形成されるとともに、一方の前記帯状体が配置される間隔が他方の前記帯状体が配置される間隔よりも狭い間隔で配置された前記農業用ネットが、略同一の幅で形成された前記帯状体を前記経糸、及び前記緯糸に沿う方向に略同一の間隔を隔てて配置された場合と同等の遮熱性を有し、かつ害虫の栽培作物への飛来、及び付着をより確実に防止することができる。
【００３７】
さらに、前記農業用ネットにおいて、幅広に形成された前記帯状体が配置される場合に比べて、幅狭に形成された前記帯状体が細かく配置されている。  
つまり、幅広に形成された前記帯状体を配置する場合には粗な間隔で配置されるのに対して、幅狭に形成された前記帯状体は、前記帯状体同士の間隔が近くなるように散りばめられて配置されており、前記帯状体の配置される分散度合が高くなるため、前記農業用ネットにおける前記帯状体の配置場所が分散し、前記農業用ネットの遮熱性、及び忌避効果のムラを少なくすることができる。
【００３８】
またこの発明の態様として、前記糸状体が、透光性を有する透光性糸状体によって構成されてもよい。  
この発明により、前記農業用ネットの有する透光性を栽培作物に適したものにするために、前記農業用ネットにより多くの前記帯状体を配置することができ、前記農業用ネットの前記帯状体による害虫に対する忌避効果がさらに向上し、害虫の栽培作物への飛来、及び付着をさらに確実に防止することができる。
【００３９】
詳述すると、前記農業用ネットの透光性は、前記農業用ネットを構成する前記糸状体と前記帯状体とのそれぞれの透光性によって決定される。  
したがって、栽培作物に適した透光性を有する前記農業用ネットを構成するためには、不透光性の糸状体で構成した前記農業用ネットよりも、前記透光性糸状体で構成した前記農業用ネットのほうが前記農業用ネット自体の透光性が向上するため、栽培作物に適した透光性を確保するためにはより多くの前記帯状体を配置し、より多くの太陽光を反射することで向上した透光性を抑制することとなる。
【００４０】
より多くの前記帯状体が配置されたことで、前記農業用ネットに向けて照射される太陽光をより反射することができ、前記農業用ネットの前記帯状体による害虫に対する忌避効果がさらに向上し、害虫の栽培作物への飛来、及び付着をさらに確実に防止することができる。
【００４１】
またこの発明の態様として、前記帯状体が白色の白色帯状体によって構成されてもよい。  
この発明により、前記白色帯状体で構成された前記帯状体は、白色であるため吸熱性が低く、前記帯状体が吸熱することで昇温して破損したり、吸熱して高温になった前記帯状体の近傍が生育適温を超えたりすることを防止することができる。
【００４２】
またこの発明の態様として、前記緯糸の両端部が折り返されるとともに織り込まれてもよい。  
この発明により、前記農業用ネットにおける前記緯糸の両端側に形成される耳部が房耳として残らず、房耳からネットが不用意に解れることを防止することができ、前記農業用ネットの耐久性を向上することができる。
【発明の効果】
【００４３】
被覆することで、栽培作物への害虫の付着を防止することができるとともに、内部空間の温度が生育適温を超える過度な昇温を防止できる農業用ネットを提供することができる。
【図面の簡単な説明】
【００４４】
【図１】農業用ネットの一部の概略平面図。
【図２】農業用ネットの構成の説明図。
【図３】緯反射テープの保持態様を説明する説明図。
【図４】経反射テープの保持態様を説明する説明図。
【図５】農業用ネットの耳部の説明図。
【発明を実施するための形態】
【００４５】
この発明の一実施形態を以下図面と共に説明する。  
図１は農業用ネット１の一部の概略平面図を示し、図２は農業用ネット１の構成について説明する説明図を示し、図３は農業用ネット１における緯反射テープ１１１の保持態様を説明する説明図を示し、図４は農業用ネット１における経反射テープ１１２の保持態様を説明する説明図を示し、図５は農業用ネット１における耳部６０の構成を説明する説明図を示す。
【００４６】
詳述すると、図２（ａ）は、農業用ネット１を構成するモノフィラメント５を平織することで形成した織地６の概略拡大平面図を示し、図２（ｂ）は、農業用ネット１に格子状に織り込む反射テープ１１の概略拡大平面図を示し、図２（ｃ）は、織地６に反射テープ１１が格子状に織り込まれた農業用ネット１の概略平面図を示す。
【００４７】
また、図３（ａ）は、農業用ネット１に保持される緯反射テープ１１１について説明すべく、図２（ｃ）におけるＡ−Ａ矢視断面図を示し、図３（ｂ）は、農業用ネット１に保持される緯反射テープ１１１について説明すべく、図２（ｃ）におけるＢ−Ｂ矢視断面図を示す。
【００４８】
また、図４（ａ）は、農業用ネット１に保持される緯反射テープ１１１について説明すべく、図２（ｃ）におけるＣ−Ｃ矢視断面図を示し、図４（ｂ）は、農業用ネット１に保持される緯反射テープ１１１について説明すべく、図２（ｃ）におけるＤ−Ｄ矢視断面図を示す。
【００４９】
なお、図１に示すように、農業用ネット１を広げた際の緯糸５０に沿う方向を緯方向ｘとし、経糸５１に沿う方向を経方向ｙとする。また、図３に示すように農業用ネット１の厚さ方向を厚さ方向ｚとする。
【００５０】
図１に示すように、農業用ネット１は、モノフィラメント５を略正方形状の網目を有する網状に平織した織地６に、反射性、及び遮熱性を有する反射テープ１１を格子状に配置することで構成している。また、織地６における緯方向ｘの両端に後述する耳部６０を設けている。
【００５１】
図２（ａ）に示すように、農業用ネット１を構成する網状の織地６は、モノフィラメント５を平織することで織成している。また、モノフィラメント５は、本実施形態において、透光性を有するポリエチレン繊維によって、直径０．１ｍｍ程度に形成しているがこれに限定されない。  
また、織成するモノフィラメント５は、緯糸５０と経糸５１とがあり、緯糸５０、及び経糸５１を経方向ｙ、及び緯方向ｘに並列に配置して平織することで、略正方形状の網目を有する織地６を織成している。なお、網目の形状は略正方形状に限定されず、略長方形状等でもよい。
【００５２】
緯糸５０、及び経糸５１を配置する間隔Ｗａは、図２乃至図４に図示するように網目を形成する場所における間隔Ｗａ１と反射テープ１１が配置される場所７（以下において「テープ配置場所７」という）における間隔Ｗａ２とがあり、侵入を防ぎたい害虫の大きさや被覆する栽培作物等によって適宜設定している。
【００５３】
なお、本実施形態において、テープ配置場所７と、後述のモノフィラメント５が広い間隔を隔てて配置される場所８（以下において、「広間隔配置場所８」という）は、農業用ネット１における同一の場所を指し示している。
【００５４】
テープ配置場所７における間隔Ｗａ２は、網目を形成する場所における間隔Ｗａ１よりも広い間隔となるように、緯糸５０、及び経糸５１を配置している。
【００５５】
また、テープ配置場所７における間隔Ｗａ２には、後述の緯反射テープ１１１が配置される場所における間隔Ｗａ２１と、経反射テープ１１２が配置される場所における間隔Ｗａ２２とがある。  
なお、本実施形態において、網目を形成する場所における間隔Ｗａ１は０．５ｍｍ程度、緯反射テープ１１１が配置される場所における間隔Ｗａ２１は１．５ｍｍ程度、経反射テープ１１２が配置される場所における間隔Ｗａ２２は４ｍｍ程度に設定しているが、これに限定されない。
【００５６】
図２（ｂ）に示すように、織地６に格子状に配置する反射テープ１１は、遮熱性、及び反射性を有するとともに所定の幅を有する帯状であり、所定の厚みで形成している。  
本実施形態において反射テープ１１は、反射率８０％程度、かつ白色であるとともに、モノフィラメント５の直径と略同程度の厚みで形成しているが、これに限定されない。
【００５７】
また、反射テープ１１には、緯糸５０に沿うとともに緯方向ｘに伸びる幅狭の程度の緯反射テープ１１１と、経糸５１に沿うとともに経方向ｙに伸びる幅広の程度の経反射テープ１１２とがあり、各々を所定の間隔を隔てて等間隔かつ並列に配置し、織地６に織り込んでいる。
【００５８】
反射テープ１１は、栽培作物に適した遮熱性、及び飛来を抑制したい害虫に応じて所定の幅Ｗｂで形成され、本実施形態においては、緯反射テープ１１１の幅Ｗｂ１は１ｍｍ程度に形成され、経反射テープ１１２の幅Ｗｂ２は３．５ｍｍ程度に形成しているが、これに限定されない。
【００５９】
また、織地６に織り込む反射テープ１１のうち、緯反射テープ１１１を経方向ｙに所定の間隔を隔てて等間隔かつ並列に配置し、経反射テープ１１２を緯方向ｘに所定の間隔を隔てて等間隔かつ並列に配置することで、緯反射テープ１１１と経反射テープ１１２とによって形成する領域Ｒ（図１、図２（ｂ）図２（ｃ）において破線で囲って符号Ｒで指し示す領域）が、略長方形状となるように構成している。  
なお、本実施形態において、略長方形状の領域Ｒは、短辺Ｒｓが５ｍｍ程度、かつ長辺Ｒｌが１７．５ｍｍ程度に形成しているが、これに限定されない。
【００６０】
上述のように、反射テープ１１は、緯反射テープ１１１の幅Ｗｂ１を１ｍｍ程度、経反射テープの幅Ｗｂ２を３．５ｍｍ程度に形成するとともに、反射テープ１１によって形成する略長方形状の領域Ｒの短辺Ｒｓを５ｍｍ程度、かつ長辺Ｒｌを１７．５ｍｍ程度となるように織地６に配置して織り込まれているため、短辺Ｒｓに対する長辺Ｒｌの比率は、緯反射テープ１１１の幅Ｗｂ１に対する経反射テープ１１２の幅Ｗｂ２の比率と略同一の２：７となる。
【００６１】
なお、本実施形態において、短辺Ｒｓに対する長辺Ｒｌの比率は、緯反射テープ１１１の幅Ｗｂ１に対する経反射テープ１１２の幅Ｗｂ２の比率と略同一の２：７となるように反射テープ１１を配置しているが、これに限定されない。
【００６２】
上述のように構成された織地６、及び反射テープ１１は、図３（ｃ）に示すように織地６に反射テープ１１を配置することで農業用ネット１を構成し、広間隔配置場所８に反射テープ１１が配置されているため、反射テープ１１とモノフィラメント５との間隔が網目の目合よりも大きくなることはなく、害虫が侵入するおそれが向上することはない。
【００６３】
また、上述のように配置した緯反射テープ１１１、及び経反射テープ１１２を、モノフィラメント５によって構成される経糸５１、及び緯糸５０によって経方向ｙ、または緯方向ｘの位置を規制している。
【００６４】
そして、図３、及び図４に示すように、緯反射テープ１１１、及び経反射テープ１１２を厚さｚ方向から、経糸５１、及び緯糸５０、並びに経反射テープ１１２、及び緯反射テープ１１１によって挟むように保持している。
【００６５】
詳述すると、図２（ｃ）に示すように、反射テープ１１のうち緯反射テープ１１１が配置される場所における緯糸５０は、緯反射テープ１１１の幅Ｗｂ１よりも広い間隔Ｗａ２１を経方向ｙに隔てて配置している。  
このように、緯反射テープ１１１における経方向ｙの両側に、緯糸５０を沿うように配置しているため、緯反射テープ１１１の経方向ｙへの動きを、緯糸５０によって規制している。
【００６６】
また、図３（ａ）に示すように、緯反射テープ１１１と緯糸５０とを、経糸５１が厚さ方向ｚから挟み込むように保持している。  
詳述すると、モノフィラメント５が構成する経糸５１は、波状に屈曲するとともにモノフィラメント５が構成する緯糸５０、及び緯反射テープ１１１の間を縫うように配置している。
【００６７】
また、経糸５１の波形と、緯方向ｘに０．５ｍｍ程度の間隔を隔てて配置される両隣の経糸５１の波形とが、互い違いとなるとともに緯糸５０同士、または緯糸５０と緯反射テープ１１１との間を縫うように経糸５１を配置することで、緯糸５０、及び緯反射テープ１１１を経糸５１が厚さ方向ｚから挟むように保持している。
【００６８】
そして、経糸５１と同様に、経反射テープ１１２を、緯方向ｘに０．５ｍｍ程度の間隔を隔てて配置される両隣の経糸５１の波形と互い違いとなるように、波状に屈曲させて配置することで、経糸５１と経反射テープ１１２とで緯糸５０、及び緯反射テープ１１１を厚さ方向ｚから挟み込んで保持している（図示省略）。  
また、図３（ｂ）に示すように緯糸５０同士の間に配置する緯反射テープ１１１を、経糸５１、及び経反射テープ１１２が厚さ方向ｚから挟むように保持している。
【００６９】
そして、緯反射テープ１１１、及び緯糸５０と同様に、図２（ｃ）に示すように、反射テープ１１のうち経反射テープ１１２が配置される場所における経糸５１は、経反射テープ１１２の幅Ｗｂ２よりも広い間隔Ｗａ２２を緯方向ｘに隔てて配置している。  
このように、経反射テープ１１２における緯方向ｘの両側に、経糸５１を沿うように配置しているため、経反射テープ１１２の緯方向ｘへの動きを、経糸５１によって規制している。
【００７０】
また、図４（ａ）に示すように、経反射テープ１１２と経糸５１とを、緯糸５０が厚さ方向ｚから挟み込むように保持している。  
詳述すると、モノフィラメント５が構成する緯糸５０は、波状に屈曲するとともにモノフィラメント５が構成する経糸５１、及び経反射テープ１１２の間を縫うように配置している。
【００７１】
また、緯糸５０の波形と、経方向ｙに０．５ｍｍ程度の間隔を隔てて配置される両隣の緯糸５０の波形とが、互い違いとなるとともに経糸５１同士、または経糸５１と経反射テープ１１２との間を縫うように緯糸５０を配置することで、経糸５１、及び経反射テープ１１２を緯糸５０が厚さ方向ｚから挟むように保持している。
【００７２】
そして、緯糸５０と同様に、緯反射テープ１１１を、経方向ｙに０．５ｍｍ程度の間隔を隔てて配置される両隣の緯糸５０の波形と互い違いとなるように、波状に屈曲させて配置することで、経糸５１と経反射テープ１１２とで緯糸５０、及び緯反射テープ１１１を厚さ方向ｚから挟み込んで保持している（図示省略）。  
なお、本実施形態において、反射テープ１１の幅、及び厚さ、並びにモノフィラメント５の直径、及び配置する間隔は上述のように構成しているが、これに限定されない。
【００７３】
図５に示すように、織地６の緯方向ｘの両端部に設けられた耳部６０は、モノフィラメント５によって構成される緯糸５０、及び緯反射テープ１１１の両端部を、緯方向ｘの両端に配置する経糸５１に引っ掛けて折り返すとともに織地６に織り込むことでタックイン耳を形成している。
【００７４】
また、タックイン耳を形成する耳部６０において、モノフィラメント５が構成する経糸５１同士の間にモノフィラメント５によって構成する補強糸５１０を織り込むことで、耳部６０が解れないように農業用ネット１の強度を向上させている。
【００７５】
このように構成された農業用ネット１は、モノフィラメント５が経糸５１、及び緯糸５０として織られ、０．５ｍｍ程度の目合の略正方形状の網目を有する網状に構成された織地６に、反射性、及び遮熱性を有する帯状の反射テープ１１が、経糸５１、及び緯糸５０に沿って格子状に織り込まれ、テープ配置場所７におけるモノフィラメント５が、反射テープ１１の幅以上の間隔を隔てて配置され、反射テープ１１の幅が、目合の２倍以上７倍以下の幅で形成されているため、農業用ネット１を、栽培作物に被覆することで、栽培作物への害虫の付着を防止できるとともに、農業用ネット１で被覆する内部空間が生育適温を超える過度な昇温を防止することができる。
【００７６】
詳述すると、栽培作物に被覆する農業用ネット１が有する網目が、０．５ｍｍ程度の目合で構成されているため、農業用ネット１を害虫が通過することを抑制でき、被覆した栽培作物への害虫の付着を防止することができる。
【００７７】
また、目合の２倍以上の幅の帯状に形成された反射性を有する反射テープ１１が格子状に配置されることで、農業用ネット１に照射される太陽光が帯状に形成された反射テープ１１の表面によって効率的に反射され、農業用ネット１が、飛来する害虫に対する忌避効果を有することができ、栽培作物への害虫の飛来、及び付着を防止することができる。  
さらに、反射テープ１１が有する遮熱性によって、太陽光による熱を遮熱することができ、被覆される栽培作物の生育適温を内部空間の温度が超えるような過度な昇温を防止することができる。
【００７８】
また、農業用ネット１は、経糸５１、及び緯糸５０に沿って格子状に織り込まれた反射性、及び遮熱性を有する反射テープ１１が配置される場所（テープ配置場所７）におけるモノフィラメント５が、反射テープ１１の幅Ｗｂ以上の間隔を隔てて配置されている。
【００７９】
つまり、反射テープ１１の幅Ｗｂよりも広い間隔を隔ててモノフィラメント５が配置されている部分（広間隔配置場所８）に反射テープ１１が配置されることで、モノフィラメント５によって構成される経糸５１同士、または緯糸５０同士の間に反射テープ１１を配置して織り込むことができる。
【００８０】
このため、モノフィラメント５で構成される緯糸５０、または経糸５１によって、反射テープ１１を保持することができ、反射テープ１１を保持するための他の構成を必要とせず、生産性を向上することができるとともに、生産にかかるコストを低下することができる。
【００８１】
しかしながら、モノフィラメント５が広い間隔を隔てて配置されるため、モノフィラメント５によって形成される網目における当該部分の目合は大きくなり、農業用ネット１のテープ配置場所７における目合が、前述の所定の目合よりも大きくなることで、大きくなった目合を害虫が通過して栽培作物に害虫が付着するおそれがある。
【００８２】
これに対して、広間隔配置場所８に、目合よりも幅広に形成された帯状の反射テープ１１が配置されるため、農業用ネット１のテープ配置場所７における反射テープ１１とモノフィラメント５とによって囲われる領域の大きさが、農業用ネット１の有する網目の目合である０．５ｍｍ程度よりも大きくなることを防止することができ、モノフィラメント５が広い間隔を隔てて配置されることで網目の目合が大きくなり、栽培作物に害虫が付着するおそれを抑制することができる。
【００８３】
また、反射テープ１１の幅以上の間隔を隔てて配置されるモノフィラメント５同士の間隔は、農業用ネット１が害虫の通過を抑制することができる必要があるため、前述のモノフィラメント５と反射テープ１１とによって囲われる領域の大きさが、０．５ｍｍ程度に設定された目合の大きさを超えないように設定される。
【００８４】
このため、反射テープ１１の幅が目合の７倍以下に形成されることで、反射テープ１１の幅以上の間隔を隔てて配置されるモノフィラメント５同士の間隔が広くなりすぎることによる農業用ネット１の耐久性の低下を防止することができる。  
したがって、農業用ネット１を栽培作物に被覆することで、栽培作物への害虫の付着を防止することができるとともに、生育適温を超える過度な昇温を防止することができる。
【００８５】
また、格子状に配置された反射テープ１１において、緯糸５０に沿って配置される緯反射テープ１１１の幅が、経糸５１に沿って配置される経反射テープ１１２の幅よりも狭く形成され、緯反射テープ１１１が、経反射テープよりも狭い間隔を隔てて配置されているため、農業用ネット１に設けられた反射テープ１１による害虫に対する忌避効果を向上することができ、害虫の栽培作物への飛来、及び付着をより確実に防止することができる。
【００８６】
詳述すると、格子状に配置された反射テープ１１において、緯反射テープ１１１の幅が経反射テープ１１２の幅よりも狭く形成されることで、異なる幅で形成された反射テープ１１が農業用ネット１に織り込まれることになる。
【００８７】
これにより、農業用ネット１に向けて照射される太陽光が、異なる幅に形成された反射テープ１１によって異なる反射態様で反射されるため、同一の幅で形成された反射テープ１１によって太陽光が反射される場合よりも、害虫をさらに忌避することができる。
【００８８】
また、緯反射テープ１１１の幅を経反射テープ１１２の幅よりも狭く形成したことで、農業用ネット１の遮熱性が低下するおそれがあるが、緯反射テープ１１１が、経反射テープ１１２よりも狭い間隔を隔てて配置されることで、農業用ネット１に配置する緯反射テープ１１１の本数を増加でき、農業用ネット１の遮熱性の低下を防止することができる。
【００８９】
このため、農業用ネット１の遮熱性が低下することなく、反射テープ１１による害虫に対する忌避効果を向上することができ、害虫の栽培作物への飛来、及び付着をより確実に防止することができる。
【００９０】
また、緯反射テープ１１１の幅Ｗｂ２０に対する経反射テープ１１２の幅Ｗｂ２１の比率が、緯反射テープ１１１と経反射テープ１１２とによって形成される略長方形状の領域Ｒにおける、短辺Ｒｓに対する長辺Ｒｌの比率に応じて構成されているため、農業用ネット１が、略同一の幅で形成された反射テープ１１を経糸５１、及び緯糸５０に沿う方向に略同一の間隔を隔てて配置された場合と同等の遮熱性を有し、かつ害虫の栽培作物への飛来、及び付着をより確実に防止することができる。
【００９１】
詳述すると、農業用ネット１はモノフィラメント５で構成された織地６に反射テープ１１が織り込まれることで、栽培作物に適した遮熱性を有するように構成される。  
つまり、略同一の幅で形成された反射テープ１１を経糸５１、及び緯糸５０に沿う方向に略同一の間隔を隔てて配置された場合の遮熱性は、栽培作物に適した遮熱性を有している。
【００９２】
また、農業用ネット１が緯反射テープ１１１の幅Ｗｂ２０が経反射テープ１１２の幅Ｗｂ２１よりも狭く形成されるとともに、緯反射テープ１１１が経反射テープ１１２が配置される間隔よりも狭い間隔で配置され、かつ緯反射テープ１１１の幅Ｗｂ２０に対する経反射テープ１１２の幅Ｗｂ２１の比率が、緯反射テープ１１１と経反射テープ１１２とによって形成される略長方形状の領域Ｒにおける、短辺Ｒｓに対する長辺Ｒｌの比率に応じて構成することで、略同一の幅で形成された反射テープ１１を経糸５１、及び緯糸５０に沿う方向に略同一の間隔を隔てて配置された農業用ネット１と同等の遮熱性を有するように構成することができる。
【００９３】
つまり、緯反射テープ１１１の幅Ｗｂ２０が経反射テープ１１２の幅Ｗｂ２１よりも狭く形成されるとともに、緯反射テープ１１１が配置される間隔が経反射テープ１１２が配置される間隔よりも狭い間隔で配置された農業用ネット１が栽培作物に適した遮熱性を有することができる。
【００９４】
また、緯反射テープ１１１の幅Ｗｂ２０に対する経反射テープ１１２の幅Ｗｂ２１の比率が、緯反射テープ１１１と経反射テープ１１２とによって形成される略長方形状の領域Ｒにおける、短辺Ｒｓに対する長辺Ｒｌの比率に応じて構成された農業用ネット１は、緯反射テープ１１１の幅Ｗｂ２０が経反射テープ１１２の幅Ｗｂ２１よりも狭く形成されるとともに、緯反射テープ１１１が配置される間隔が経反射テープ１１２が配置される間隔よりも狭い間隔で配置されているため、害虫の栽培作物への飛来、及び付着をより確実に防止することができる。
【００９５】
したがって、緯反射テープ１１１の幅Ｗｂ２０が経反射テープ１１２の幅Ｗｂ２１よりも狭く形成されるとともに、緯反射テープ１１１が配置される間隔が経反射テープ１１２が配置される間隔よりも狭い間隔で配置された農業用ネット１が、略同一の幅で形成された反射テープ１１を経糸５１、及び緯糸５０に沿う方向に略同一の間隔を隔てて配置された場合と同等の遮熱性を有し、かつ害虫の栽培作物への飛来、及び付着をより確実に防止することができる。
【００９６】
さらに、農業用ネット１において、幅広に形成された反射テープ１１が配置される場合に比べて、幅狭に形成された緯反射テープ１１１が細かく配置されている。  
つまり、幅広に形成された反射テープ１１を配置する場合には粗な間隔で配置されるのに対して、幅狭に形成された緯反射テープ１１１は、緯反射テープ１１１同士の間隔が近くなるように散りばめられて配置されており、反射テープ１１の配置される分散度合が高くなるため、農業用ネット１における反射テープ１１の配置場所が分散し、農業用ネット１の遮熱性、及び忌避効果のムラを少なくすることができる。
【００９７】
また、モノフィラメント５が、透光性を有するため、農業用ネット１の有する透光性を栽培作物に適したものにするために、農業用ネット１により多くの反射テープ１１を配置することができ、農業用ネット１の前記帯状体による害虫に対する忌避効果がさらに向上し、害虫の栽培作物への飛来、及び付着をさらに確実に防止することができる。
【００９８】
詳述すると、農業用ネット１の透光性は、農業用ネット１を構成するモノフィラメント５と反射テープ１１とのそれぞれの透光性によって決定される。  
したがって、栽培作物に適した透光性を有する農業用ネット１を構成するためには、不透光性の糸状体で構成した農業用ネット１よりも、透光性を有するモノフィラメント５で構成した農業用ネット１のほうが農業用ネット１自体の透光性が向上するため、栽培作物に適した透光性を確保するためにはより多くの反射テープ１１を配置し、より多くの太陽光を反射することで向上した透光性を抑制することとなる。
【００９９】
より多くの反射テープ１１が配置されたことで、農業用ネット１に向けて照射される太陽光をより反射することができ、農業用ネット１の反射テープ１１による害虫に対する忌避効果がさらに向上し、害虫の栽培作物への飛来、及び付着をさらに確実に防止することができる。
【０１００】
また、反射テープ１１が白色であるため、吸熱性が低く、反射テープ１１が吸熱することで昇温して破損したり、吸熱して高温になった反射テープ１１の近傍が生育適温を超えたりすることを防止することができる。
【０１０１】
また、緯糸５０の両端部が折り返されるとともに織り込まれることで、農業用ネット１における緯糸５０の両端側に形成される耳部６０が房耳として残らず、房耳からネットが不用意に解れることを防止することができ、農業用ネット１の耐久性を向上することができる。
【０１０２】
そして、反射テープ１１のうち、他方よりも狭い幅である１ｍｍ程度の幅で帯状に形成された緯反射テープ１１１が緯糸５０に沿って、織地６に織り込まれていることで、モノフィラメント５が構成する緯糸５０とともに、緯反射テープ１１１の両端部が折り返されてタックイン耳として織り込まれている。
【０１０３】
異なる幅で形成した帯状の反射テープ１１を織り込んで構成した農業用ネット１において、幅狭の反射テープ１１である緯反射テープ１１１を緯糸５０に沿って配置することで、タックイン耳を形成する際の折り返しによって、反射テープ１１が捻じれたり潰れたりすること等によって損傷するおそれを抑制することができる。
【０１０４】
この発明の構成と、上述の実施形態との対応において、
この発明の糸状体は、実施形態のモノフィラメントに対応し、
帯状体は、反射テープに対応し、
帯状体が配置される部分は、テープ配置場所に対応し、
一方の帯状体は、緯反射テープに対応し、
他方の帯状体は、経反射テープに対応するが、
この発明は、上述の実施形態の構成のみに限定されるものではなく、多くの実施の形態を得ることができる。
【０１０５】
また、上述の説明において、糸状体は、モノフィラメント５によって構成しているが、紡績糸で構成されていてもよく、モノフィラメント５や紡績糸によって構成されたフィラメント糸や複合糸等でもよい。
【０１０６】
そしてまた、モノフィラメント５は、透光性を有するポリエチレン繊維によって、直径０．１ｍｍ程度に形成しているが、ポリプロピレンやポリエチレンテレフタレート等で形成していてもよく、直径も０．０５ｍｍ〜０．２ｍｍ程度に形成していればよい。
【０１０７】
また、農業用ネット１の目合は０．５ｍｍ程度に設定しているが、目合の大きさは害虫の通過を防止できるとともに、栽培作物に適した通気性を有する大きさであればよく、例えば、侵入を防止したい害虫の大きさや、栽培作物に適した通気性によって０．４ｍｍから２．０ｍｍ程度の大きさで目合が形成されていてもよい。
【０１０８】
また、農業用ネット１は、モノフィラメント５を網状に織った織物で構成しているが、所定の目合で配置したモノフィラメント５を溶着することで網状に形成してもよく、織った織物のモノフィラメント５同士を溶着することで、網目が目ズレしないようにしてもよい。
【０１０９】
また、反射テープ１１は、合成樹脂により構成されているが、不織布、織物、または編物などで構成されていてもよい。  
さらにまた、反射テープ１１は、モノフィラメント５の直径とほぼ同程度の厚さで形成されているが、モノフィラメント５の直径より薄くとも厚くともよい。
【０１１０】
また、織地６の有する網目を略正方形状に形成しているが、目合の大きさは害虫の通過を防止できるとともに、栽培作物に適した通気性を有する大きさであればよく、略長方形等に形成してもよい。
【０１１１】
また、耳部６０は、緯糸５０、及び緯反射テープ１１１の両端部を折り返すとともに織り込んでいるが、緯糸５０、及び緯反射テープ１１１のうち少なくとも一方を折り返すとともに織り込んでいればよい。
【符号の説明】
【０１１２】
１・・・農業用ネット
５・・・モノフィラメント
６・・・織地
７・・・テープ配置場所
１１・・・反射テープ
５０・・・緯糸
５１・・・経糸
１１０・・・緯反射テープ
１１１・・・経反射テープ
Ｒ・・・領域
Ｒｓ・・・短辺
Ｒｌ・・・長辺
Ｗｂ１・・・経反射テープの幅
Ｗｂ２・・・緯反射テープの幅
【図１】
2020089305.tif 000003
【図２】
2020089305.tif 000004
【図３】
2020089305.tif 000005
【図４】
2020089305.tif 000006
【図５】
2020089305.tif 000007